(57)【要約】【課題】装置正面に立つ操作者の不快感を低減するダクトを提供する。【解決手段】原稿を読み取る画像読取装置２００と、画像読取装置で読み取った画像を記録媒体Ｐに形成する画像形成部と、画像読取装置と画像形成部との間に配置され、当該画像形成部を通過した記録媒体Ｐを排出する排紙部３９と、を有する画像形成装置５００に設けられるダクト６００であって、ダクト６００は、原稿を照射する画像読取装置の光源の移動領域５７よりも画像形成装置正面側にて下面に開口部６０１ａを有する吸引口６０１と、吸引口６０１から吸引した空気を画像形成装置５００の後方又は側方へ排出する排気口６０３ａと、吸引口６０１と排気口６０３ａとの間の案内路６０２，６０３，６０７，６０８とを少なくとも有し、案内路内又は案内路の下流側に吸気手段６０５が設けられ、吸気手段６０５の下流側に脱臭手段６０４が設けられることで解決される。【選択図】図２
2016184147.tif 000002
【特許請求の範囲】
【請求項１】
原稿を読み取る画像読取装置と、前記画像読取装置で読み取った画像を記録媒体に形成する画像形成部と、前記画像読取装置と前記画像形成部との間に配置され、当該画像形成部を通過した前記記録媒体を排出する排紙部と、を有する画像形成装置に設けられるダクトであって、
前記ダクトは、原稿を照射する前記画像読取装置の光源の移動領域よりも前記画像形成装置正面側にて下面に開口部を有する吸引口と、前記吸引口から吸引した空気を前記画像形成装置の後方又は側方へ排出する排気口と、前記吸引口と前記排気口との間の案内路とを少なくとも有し、
前記案内路内又は前記案内路の下流側に吸気手段が設けられ、前記吸気手段の下流側に脱臭手段が設けられる、ことを特徴とするダクト。
【請求項２】
前記案内路は、原稿を照射する前記画像読取装置の光源の移動領域よりも前記画像形成装置正面側における前記画像読取装置の第一側面と当該第一側面に隣接する前記画像読取装置の第二側面とに沿って設けられることを特徴とする請求項１記載のダクト。
【請求項３】
前記案内路の下端面は、前記画像読取装置の下面と同じ高さか当該下面より上方に位置することを特徴とする請求項１又は２に記載のダクト。
【請求項４】
前記案内路の上端面は、前記画像読取装置の上面と同じ高さか当該上面より下方に位置することを特徴とする請求項１乃至３のいずれか一項に記載のダクト。
【請求項５】
前記案内路は、装置正面側から吸引した空気を下流に案内する第１流路と、前記排紙部に接続された後処理装置の排出部から吸引した空気を下流に案内する第２流路とが合流する合流部を有することを特徴とする請求項１乃至４のいずれか一項に記載のダクト。
【請求項６】
前記吸引口は、前記画像読取装置と前記画像形成装置の操作部との間に設けられていることを特徴とする請求項１乃至５のいずれか一項に記載のダクト。
【請求項７】
前記吸引口は、前記画像形成装置の操作部の下方に設けられていることを特徴とする請求項１乃至５のいずれか一項に記載のダクト。
【請求項８】
前記吸引口は、前記画像読取装置の下端より下方へ位置していることを特徴とする請求項１乃至７のいずれか一項に記載のダクト。
【請求項９】
前記吸引口側における前記案内路は前記画像読取装置の下端より下方へ位置し、前記開口部は前記排紙部の奥側に指向しており、前記吸引口は装置正面側に曲面部を有することを特徴とする請求項１乃至８のいずれか一項に記載のダクト。
【請求項１０】
原稿を読み取る画像読取装置と、
前記画像読取装置で読み取った画像を記録媒体に形成する画像形成部と、
前記画像読取装置と前記画像形成部との間に配置され、当該画像形成部を通過した前記記録媒体を排出する排紙部と、
請求項１乃至９のいずれか一項に記載のダクトと、
を備えることを特徴とする画像形成装置。
【発明の詳細な説明】
【技術分野】
【０００１】
本発明は、複写機、ファクシミリ、プリンタなどの画像形成装置に設けられるダクト、及び当該ダクトを備えた画像形成装置に関する。
【背景技術】
【０００２】
用紙等の記録媒体を排出する排出部から装置の外部に排気される異臭やＶＯＣ（揮発性有機化合物）を、装置手前側のダクトにて吸引する技術が知られている（特許文献１）。
【０００３】
特許文献１のように、ダクトが装置横側面にある場合、装置正面端部側の異臭やＶＯＣを完全に吸い込むことは困難であり、異臭やＶＯＣが装置正面の開口から外に漏れる恐れがある。すると、装置正面に立つ操作者が、装置正面の開口から外に排出し上昇した異臭やＶＯＣを不快に感じる恐れがある。
【発明の概要】
【発明が解決しようとする課題】
【０００４】
そこで、装置正面に立つ操作者の不快感を低減するダクトを提供することを課題とする。
【課題を解決するための手段】
【０００５】
この課題を解決するため、原稿を読み取る画像読取装置と、前記画像読取装置で読み取った画像を記録媒体に形成する画像形成部と、前記画像読取装置と前記画像形成部との間に配置され、当該画像形成部を通過した前記記録媒体を排出する排紙部と、を有する画像形成装置に設けられるダクトであって、前記ダクトは、原稿を照射する前記画像読取装置の光源の移動領域よりも前記画像形成装置正面側にて下面に開口部を有する吸引口と、前記吸引口から吸引した空気を前記画像形成装置の後方又は側方へ排出する排気口と、前記吸引口と前記排気口との間の案内路とを少なくとも有し、前記案内路内又は前記案内路の下流側に吸気手段が設けられ、前記吸気手段の下流側に脱臭手段が設けられる、ことを特徴とするダクトを提案する。
【発明の効果】
【０００６】
原稿を照射する光源の移動領域よりも装置正面側にて下面に開口部を有する吸引口から吸気し、吸引した空気を脱臭手段を介して画像形成装置の後方又は側方へ排出するため、装置正面に立つ操作者の不快感が低減される。
【図面の簡単な説明】
【０００７】
【図１】本発明を適用する画像形成装置の一実施形態に係るモノクロ複写機の概略的な全体構成図である。
【図２】実施形態１としての、ダクトを備えた図１のモノクロ複写機の概略斜視図である。
【図３】図２のモノクロ複写機の概略平面図である。
【図４】排気ダクトとファンの概略斜視図である。
【図５】排気ダクト装着状態のモノクロ複写機の概略背面斜視図である。
【図６】図１のモノクロ複写機に後処理装置が装着された状態の概略全体構成図である。
【図７】図１のモノクロ複写機に後処理装置が装着された状態の概略斜視図である。
【図８】図７に示すダクトの分解斜視図である。
【図９】合流部６０７の概略平面図である。
【図１０】図７のモノクロ複写機の概略平面図である。
【図１１】実施形態３としてのモノクロ複写機の概略斜視図である。
【図１２】実施形態４としてのモノクロ複写機の概略斜視図である。
【図１３】実施形態５としてのモノクロ複写機の概略平面図である。
【図１４】実施形態６としてのモノクロ複写機の概略平面図である。
【図１５】実施形態７としてのモノクロ複写機の概略構成図である。
【図１６】図１５の点線部における装置正面側断面図であって、図１５のモノクロ複写機を左方向から見たときの中継搬送装置近傍の概略側面図である。
【図１７】図１６を右方向から見たときの、排紙口７２付近の概略拡大正面図である。
【図１８】ダクトの変形例を示す概略側面図である。
【図１９】実施形態８としてのモノクロ複写機の概略構成図である。
【図２０】図１９のモノクロ複写機に設けられたダクトの例を示す図である。
【発明を実施するための形態】
【０００８】
以下、本発明を適用した画像形成装置として、電子写真方式の複写機（以下、複写機という）５００の一実施形態について説明する。本実施形態では、複写機５００としてモノクロ複写機を例に挙げて説明するが、本発明はカラー画像形成装置についても同様に適用することができる。
【０００９】
まず、複写機５００の全体構成について説明する。図１において、複写機５００の装置本体１００は、記録紙バンク３００上に載置され、装置本体１００の上に画像読取装置２００が取り付けられている。画像読取装置２００の上には、背面側（図中、紙面奥側）を支点にして回動自在に構成された圧板４００が取り付けられている。圧板４００に替えて原稿を搬送し画像読取装置２００で原稿を読み取る自動原稿搬送装置としてもよい。
【００１０】
装置本体１００の内部には、像担持体又は潜像担持体としてドラム状の感光体１０が設けられている。感光体１０の周りには、画像を形成するのに必要な所定の装置、例えば、帯電装置１１、現像装置１２、転写装置１３、感光体クリーニングブレードを有したクリーニング装置１４、除電ランプが配置されている。
【００１１】
帯電装置１１は、回転駆動する感光体１０の表面を一様帯電せしめるもので、本実施形態では帯電ローラを用いているが、帯電ブラシやスコロトロンチャージャー等、周知のものを用いることができる。現像装置１２は、一様帯電した感光体表面を後述するレーザー書込装置４７から発せられるレーザー光によって形成された静電潜像を可視像化するものである。可視像化にあたり、トナーとして重合法により製造した重合トナーを用い、その重合トナーを現像剤担持体である現像ローラによって感光体１０の静電潜像に付着させる。
【００１２】
転写装置１３は、第一ベルト張架ローラ１５と第二ベルト張架ローラ１６に掛け回された転写ベルト１７を備えており、この転写ベルト１７は、転写位置Ｂで感光体１０の周面に押し当てられている。記録媒体である記録紙Ｐを分離した後の転写ベルト１７上に残った残留トナーや紙粉等の異物は、転写ベルト１７を介して第一ベルト張架ローラ１５に当接するクリーニングブレードによって掻き落とされる。
【００１３】
また、装置本体１００には、帯電装置１１やクリーニング装置１４の左側に、現像装置１２に新しいトナーを補給するトナー補給装置２０が設けられている。更に装置本体１００には、記録紙バンク３００の記録紙カセット６１から送り出された記録紙Ｐを、転写位置Ｂを経て排紙部である排出スタック部３９まで搬送する記録紙搬送装置６０が設けられている。
この記録紙搬送装置６０は、給紙供給路Ｒ１又は手差し供給路Ｒ２、及び、記録紙搬送路Ｒに沿って、記録紙Ｐを搬送する。記録紙搬送路Ｒ上には、転写位置Ｂに対して記録紙搬送方向の上流側にレジストローラ対２１が設けられている。
なお、現像装置１２、転写装置１３、トナー補給装置２０、レーザー書込装置４７などが画像形成部を構成する。
【００１４】
一方、転写位置Ｂに対して記録紙搬送路Ｒの記録紙搬送方向下流側には、熱定着装置２２が設けられている。この熱定着装置２２では、加熱ローラ３０と加圧ローラ３２との間に記録紙Ｐを挟み込んで加熱加圧定着を行う。熱定着装置２２の更に記録紙搬送方向下流側には、排出分岐爪３４、排出ローラ３５、第一加圧ローラ３６、第二加圧ローラ３７及びコシ付ローラ３８が設けられている。熱定着装置２２を経た画像形成済みの記録紙Ｐは、これらを経て排出スタック部３９（排紙部）にスタックされる。
【００１５】
また、装置本体１００には、スイッチバック装置４２が設けられている。図中右側に示されたスイッチバック装置４２では、排出分岐爪３４が配置された位置から分岐した反転路Ｒ３と、この反転路Ｒ３を通る記録紙Ｐを再び記録紙搬送路Ｒのレジストローラ対２１の位置まで導く再搬送路Ｒ４とに沿って記録紙Ｐを搬送する。反転路Ｒ３にはスイッチバックローラ対４３が設けられており、再搬送路Ｒ４には、複数の記録紙搬送ローラ対６６が設けられている。
【００１６】
レーザー書込装置４７は、レーザー光源、走査用の回転多面鏡であるポリゴンミラー、ポリゴンモータ、及び、ｆθレンズ等の走査光学系を備えている。
【００１７】
また、画像読取装置２００は、光源５３、複数のミラー５４、結像用光学レンズ５５及びイメージセンサ５６等を備えており、その上面にはコンタクトガラス５７が設けられている。
【００１８】
記録紙バンク３００には、内部に、記録材である紙やＯＨＰフィルム等の記録紙Ｐを収納する記録紙カセット６１が複数重ねて設けられている。各記録紙カセット６１には、それぞれ呼出ローラ６２、供給ローラ６３、分離ローラ６４が設けられている。
【００１９】
給紙供給路Ｒ１には、記録紙Ｐを搬送する幾つかの記録紙搬送ローラ対６６が設けられている。
手差し給紙部６８には、その手差しトレイ６７上にセットされた記録紙Ｐを記録紙搬送路Ｒへと導く上述した手差し供給路Ｒ２が形成されている。そして手差し給紙部６８には、呼出ローラ６２、供給ローラ６３及び分離ローラ６４が設けられている。
【００２０】
次に、複写機５００の動作について説明する。
複写機５００を用いてコピーをとるとき、コンタクトガラス５７上に原稿をセットする。その後、操作パネル上のスタートスイッチを押すと、画像読取装置２００が駆動して原稿内容を読み取る。
【００２１】
原稿内容を読み取る際、画像読取装置２００は、光源５３をコンタクトガラス５７に沿って移動させながら、その光源５３からの光をコンタクトガラス５７上の原稿面に照射する。そして、その反射光を複数のミラー５４で結像用光学レンズ５５まで案内してイメージセンサ５６に入れ、そのイメージセンサ５６で原稿内容を読み取る。
【００２２】
複写機５００では、原稿内容の読み取りと同時に、感光体１０を回転させる。そして、帯電装置１１により感光体１０の表面を例えば−１０００Ｖ前後に一様帯電する。次いで画像読取装置２００で読み取った原稿内容に応じてレーザー書込装置４７から感光体１０にレーザー光を照射してレーザー書き込みを行い、感光体１０の表面に静電潜像を形成する。レーザー光が照射された部分（潜像部）の表面電位は例えば０Ｖ〜−２００Ｖとなる。その後、その静電潜像に現像装置１２を用いてトナーを付着させ、これを可視像化する。
【００２３】
複写機５００では、スタートスイッチを押すと同時に、記録紙バンク３００に備えられた複数の記録紙カセット６１のうち選択サイズに対応するものから、呼出ローラ６２により記録紙Ｐが送り出される。そして、送り出された記録紙Ｐを供給ローラ６３及び分離ローラ６４で一枚ずつ分離して、その一枚を供給路Ｒ１へ案内し、記録紙搬送ローラ対６６で記録紙搬送路Ｒへと導く。記録紙搬送路Ｒへ搬送された記録紙Ｐは、レジストローラ対２１に突き当たって止められる。
【００２４】
手差し給紙部６８を使う場合、その手差しトレイ６７を開け、ここに記録紙Ｐをセットする。この場合も、手差しトレイ６７上にセットされた記録紙Ｐは、呼出ローラ６２、供給ローラ６３及び分離ローラ６４によって一枚だけ手差し供給路Ｒ２へ搬送され、記録紙搬送ローラ対６６で記録紙搬送路Ｒへと導かれる。記録紙搬送路Ｒに導かれた記録紙Ｐは、レジストローラ対２１に突き当たって止められる。
【００２５】
このようにして、レジストローラ対２１に止められた記録紙Ｐは、感光体１０上の可視像化したトナー像の先端が転写位置Ｂへ進入するタイミングに合わせて改めて回転を開始するレジストローラ対２１によって、転写位置Ｂへ送り込まれる。転写位置Ｂへ送り込まれた記録紙Ｐは、転写装置１３により感光体１０上のトナー像が転写され、その表面にトナー像を担持する。転写後の感光体１０は、その表面に残留した残留トナーがクリーニング装置１４で除去され、除電ランプにより感光体１０上の残留電位も除去される。残留電位が除去されることで、表面電位が例えば０Ｖ〜−１５０Ｖの基準電位に平均化され、帯電装置１１から始まる次の画像形成に備えられる。
【００２６】
一方、トナー像を担持した記録紙Ｐは、転写ベルト１７により搬送されて熱定着装置２２に入る。そして、加熱ローラ３０と加圧ローラ３２との間を搬送されながら熱と圧力とが加えられて、記録紙Ｐ上のトナー像が定着する。その後、記録紙Ｐは、排出ローラ３５、第一加圧ローラ３６、第二加圧ローラ３７及びコシ付ローラ３８により、コシを付けられ、排出スタック部３９上に排出され、そこにスタックされる。
【００２７】
記録紙Ｐの両面に画像を形成する場合には、排出分岐爪３４を切り替え、記録紙Ｐの片面にトナー像を転写して定着した後、この記録紙Ｐを記録紙搬送路Ｒから反転路Ｒ３に入れる。反転路Ｒ３に入れられた記録紙Ｐは、記録紙搬送ローラ対６６で搬送してスイッチバック位置４４へ入れられた後、スイッチバックローラ対４３でスイッチバックし、今度は再搬送路Ｒ４に入り、記録紙搬送ローラ対６６で再び記録紙搬送路Ｒに導かれる。そして、再搬送路Ｒ４を通過した記録紙Ｐの反対面にも上述と同様にしてトナー像を転写する。
【００２８】
図２は、実施形態１としての、ダクトを備えた図１のモノクロ複写機の概略斜視図である。便宜上、圧板４００は省略している。
複写機５００には、図示のようにダクト６００が設けられている。ダクト６００は吸引口６０１、中継ダクト６０２、排気ダクト６０３を有している。吸引口６０１及び排気ダクト６０３の排気口を除く中継ダクト６０２と排気ダクト６０３の部分は、吸引口６０１と排気口の間に延びる案内路を構成する。ダクト６００の吸引口６０１は、装置正面側で操作パネル２１０に隣り合って配置され、原稿を照射する光源５３の移動領域であるコンタクトガラス５７よりも装置正面側（手前）に設けられている。吸引口６０１の開口部は下方に向いている。したがって、記録紙Ｐが、装置内部に設けられた消臭装置でも消臭されなかった異臭やＶＯＣを伴って排出スタック部３９に排出されたとき、開口部からこれらの臭気を含む空気を効果的に吸引することができる。本実施形態では、吸引口６０１の下面の開口部は、平坦かつ水平から僅かに傾いており、排出スタック部３９のトレイ面又はトレイ面に排出される記録紙Ｐの面と対向し又は斜めに位置する。しかし、吸引口６０１の下面の開口部は、排出スタック部３９のトレイ面又はトレイ面に排出される記録紙Ｐの面と平行又は直交して位置してもよい。
【００２９】
中継ダクト６０２は、画像読取装置２００の側面に沿って装置正面から左側面に形成されており、吸引口６０１から吸引された臭気を含む空気を下流側に中継する。図２では、中継ダクト６０２は１部品で形成されているが、中継ダクト６０２は図中点線で示す位置で接続可能な２部品（中継ダクト６０２ａ，６０２ｂ）で形成されてもよい。これによれば、後述するように排出スタック部３９に接続された後処理装置７００用の合流部６０７などを中継ダクト６０２ｂに代えて取り付けることができるため、他の部品を共用することができる。
中継ダクト６０２は、原稿を照射する光源の移動領域であるコンタクトガラス５７よりも装置正面側における画像読取装置２００の第一側面と当該第一側面に隣接する画像読取装置２００の第二側面とに沿って設けられている。
【００３０】
吸引口６０１及び中継ダクト６０２の垂直方向の下端面が、画像読取装置２００の下面よりも下方に位置しないように、すなわち画像読取装置２００の下面と同じ高さか下面より上方に設けられている。したがって、吸引口６０１及び中継ダクト６０２は、複写機５００の前に立つ操作者が排出スタック部３９から記録紙を取り出すのを邪魔しない。また、吸引口６０１及び中継ダクト６０２の垂直方向の上端面が、画像読取装置２００の上面よりも上方に位置しないように、すなわち画像読取装置２００の上面と同じ高さか上面より下方に設けられている。したがって、吸引口６０１及び中継ダクト６０２は圧板４００の操作の邪魔にならない。
【００３１】
中継ダクト６０２の下流側には排気ダクト６０３が設けられている。また排気ダクト６０３には吸引口６０１から臭気を含む空気を吸引する吸気手段としてのファン６０５が配置されている。そしてファン６０５の下流側であって排気ダクト６０３の先端には、脱臭手段としてのフィルタ６０４が設けられている。また、フィルタの外側には排気口カバーが設けられている。
【００３２】
このような構成により、排出スタック部３９内に浮遊する異臭やＶＯＣなどの臭気を含む空気は吸引口６０１から吸い込まれ、フィルタ６０４によって清浄されて装置後方に排出される。したがって、排出スタック部３９内に浮遊する異臭やＶＯＣなどの臭気が装置正面側の開口から出て上昇することで、操作者を不快にさせることを抑制できる。
【００３３】
排気ダクト６０３の開口は装置後方に向いていて、清浄空気は装置後方に排出されるが、排気ダクト６０３の開口は図中左側に向き、清浄空気は装置側方外側に排出されてもよい。このために、排気ダクト６０３自体が屈曲部を有してもよいし、中継ダクト６０２が屈曲部を有してもよい。
また本例では、ダクト６００は画像読取装置２００の側面に沿って装置正面から左側面に形成されているが、装置正面から右側面に形成されてもよい。この場合、中継ダクト６０２は操作パネル２１０の下方に延在して、吸引口６０１の開口部が排出スタック部３９の空間に指向していると好ましい。したがって、複写機５００の右側面と左側面のうちの空きスペースの広い方又は都合の良い方に、ダクト６００を設置することができる。
【００３４】
図３は、図２のモノクロ複写機の概略平面図である。
中継ダクト６０２の正面手前側には、排出スタック部３９のトレイ面が視認可能である。これにより排出スタック部３９内の記録紙Ｐを視認できる。なお、光源５３は図に示す位置においてコンタクトガラス５７の下方に配置されている。
【００３５】
図４は排気ダクトとファンの概略斜視図、図５は排気ダクト装着状態のモノクロ複写機の概略背面斜視図である。
図４に示すように、排気ダクト６０３内にはファン６０５が配置され、ファン６０５からは排気ダクト６０３の外側に配線６０６が延びている。図５に示すように、配線６０６は装置側面に沿って這わせ、装置内の接続部に接続されている。これによりファンは給電され、ファンを駆動することができる。ファンの駆動により、空気はフィルタ６０４に向かって流れる。図４に示すように、排気ダクト６０３は上流側から下流側に向かって広がっている。そのためファン６０５の回転により吸引された空気の速度は下流側に向かって遅くなり、フィルタ６０４をゆっくり通過することになる。従って、フィルタ６０４による所望の脱臭効果が得られる。
【００３６】
本実施形態では、ダクト６００は排気口を備えた排気ダクト６０３を有しており、該排気口から空気が排出されるが、これに代えて複写機５００に元々備えられている排気口を用いてもよい。この場合、例えば排気ダクト６０３の下流側を複写機５００の内部に組み込み、排気ダクト６０３の下流端を複写機５００の内部に形成されている別なダクトに接続し、該別なダクト用の排気口から空気を排出すればよい。また、排気ダクト６０３は、排気口６０３ａの開口４辺のうち短辺が上下方向に向くように配置されているがこれに限られない。例えば、排気口６０３ａの開口４辺のうち長辺が上下方向に向くようにすれば、複写機５００の左側面から排気ダクト６０３が飛び出す量を低減できる。
【００３７】
次に、図６〜１０を用いて実施形態２としてのモノクロ複写機を説明する。以下では、主に実施形態１と異なる点を説明する。
図６は、図１のモノクロ複写機に後処理装置が装着された状態の全体構成図、図７は、図１のモノクロ複写機に後処理装置が装着された状態の概略斜視図である。より具体的には、図６，７は図１のモノクロ複写機に、ダクト６００、中継搬送装置８００及び後処理装置７００が装着されたものである。ただし、後処理装置７００は中継搬送装置８００を含む１つの装置とみなしてもよく、この場合、後処理装置７００はモノクロ複写機の排出スタック部３９に接続される。
【００３８】
中継搬送装置８００は画像読取装置２００と画像形成部との間に配置され、排出スタック部３９に接続され、搬送ローラ８０２，８０４によって記録紙Ｐを後処理装置７００へ搬送する。また記録紙Ｐを後処理装置７００へ搬送しない場合は、切替爪８０６が中継搬送装置８００側に切り替えられ、記録紙Ｐは排紙ローラ８０８によって中継搬送装置８００の上面に排出される。本実施形態２においては、この上面が実施形態１における排出スタック部３９に相当する。
【００３９】
後処理装置７００は、後処理部７０１、排紙ローラ７０４、排出部としてのスタックトレイ７０２などを有する。後処理部７０１は、画像形成済みの記録紙Ｐを穿孔し又は複数枚の記録紙Ｐを整合してステープルで留める。穿孔した記録紙Ｐ又は綴じられた記録紙束は排紙ローラ７０４によってスタックトレイ７０２に排出される。後処理装置７００によりこれらの一連の処理が行われる。
【００４０】
図８は、図７に示すダクトの分解斜視図である。
本実施形態２では、ダクト６００は、吸引口６０１、中継ダクト６０２、合流部６０７、排気ダクト６０３、吸引ダクト６０８を有している。吸引口６０１及び排気ダクト６０３の排気口６０３ａを除く中継ダクト６０２、合流部６０７、吸引ダクト６０８及び排気ダクト６０３の部分は、吸引口６０１と排気口６０３ａの間に延びる案内路を構成する。排気ダクト６０３は、排気口６０３ａの開口４辺のうち短辺が上下方向に向くように配置されている。このようにすることで、下方にある後処理装置７００と排気ダクト６０３との干渉を防ぐことができる。
図７に示すように、中継ダクト６０２、合流部６０７、吸引ダクト６０８及び排気ダクト６０３の部分は、原稿を照射する光源の移動領域よりも装置正面側における画像読取装置２００の第一側面と当該第一側面に隣接する画像読取装置の第二側面とに沿って設けられている。
【００４１】
吸引口６０１は、装置正面側で操作パネル２１０に隣り合って配置され、原稿を照射する光源５３の移動領域であるコンタクトガラス５７よりも手前に設けられている。吸引口６０１の開口部６０１ａは下方に向いている。したがって、記録紙Ｐが、装置内部に設けられた消臭装置でも消臭されなかった異臭やＶＯＣを伴って排出スタック部３９に排出されたとき、開口部６０１ａからこれらの臭気を含む空気を効果的に吸引することができる。本実施形態では、吸引口６０１の下面の開口部６０１ａは、平坦かつ水平から僅かに傾いており、排出スタック部３９のトレイ面又はトレイ面に排出される記録紙Ｐの面と対向し又は斜めに位置する。しかし、吸引口６０１の下面の開口部６０１ａは、排出スタック部３９のトレイ面又はトレイ面に排出される記録紙Ｐの面と平行に又は直交して位置してもよい。
【００４２】
中継ダクト６０２は、画像読取装置２００の側面に沿って装置正面から左側面に形成されており、吸引口６０１から吸引された臭気を含む空気を下流側に中継する。中継ダクト６０２内には、下流側に向かって上昇する内部傾斜部６０２ａが設けられている。この内部傾斜部６０２ａにより、吸引口６０１から吸引された空気が流れる空間が下流側に向かって緩やかに変化（増大）するため、空気の流れも緩やかに変化し、圧力損失が低減される。
【００４３】
中継ダクト６０２は、滑らかに湾曲する外側湾曲部６０２ｂと内側湾曲部６０２ｃを有している。そのため、空気の流れは湾曲部に滞ることなく下流側へ移動する。特に外側湾曲部６０２ｂが滑らかに湾曲しておらず、直角に曲がっていると、空気が直角部近傍で渦巻いてしまい、気流の滞留の原因となる。
【００４４】
また中継ダクト６０２の上流側には切欠６０２ｄが形成されており、これにより後述する旋回式の操作パネル２１０が中継ダクト６０２と干渉しないようになっている。
【００４５】
合流部６０７は、装置正面側から吸引した空気を下流に案内する第１流路６０７ａと、排出スタック部３９に接続された後処理装置７００のスタックトレイ７０２から吸引した空気を下流に案内する第２流路６０７ｂを合流させることでＶ字型に形成されている。第１流路６０７ａの上流端は中継ダクト６０２の下流端に接続する。第１流路６０７ａの下流端は第２流路６０７ｂの下流端と合流しており、両流路の下流端は共に排気ダクト６０３の上流端に接続する。第１流路６０７ａは略直線的に延在しているが、第１流路６０７ａの断面積は下流側に向かって僅かに増大している。
【００４６】
第２流路６０７ｂの上流端は吸引ダクト６０８の下流端に接続する。第２流路６０７ｂの内部は１つの仕切り６０７ｃによって２つの小流路に区切られており、第２流路６０７ｂは下流側に向かって緩やかに湾曲している。ここで、第２流路６０７ｂの内部は例えば３つの仕切り６０７ｃによって４つの小流路に区切られていてもよい。また第２流路６０７ｂは下流側に向かって上昇する傾斜部６０７ｄを有し、その断面積は下流側に向かって緩やかに増大している。これにより第２流路６０７ｂの上流と下流での圧力差が小さくなり、空気を効果的に吸引できる。
【００４７】
吸引ダクト６０８は全体的に扁平な形状を有し、吸引ダクト６０８の内部は３つの仕切り６０８ｃによって４つの小流路６０８ｂに区切られている。小流路６０８ｂは上流側から下流側に向かって先細っている。小流路６０８ｂ内での空気の流量が略同じになる。図７から分かるように、吸引ダクト６０８の上流端は後処理装置７００のスタックトレイ７０２の近傍かつ上方に配置される。仕切り６０７ｃで区切られる第２流路６０７ｂの各小流路と、仕切り６０８ｃで区切られる各小流路６０８ｂに流れる流量がほぼ等しくなるように仕切り６０７ｃと仕切り６０８ｃが配置されている。さらに、ファン６０５に近い側から遠い側に向けて各流路の断面積が大きくなるように設定されている。
【００４８】
合流部６０７の上流側には排気ダクト６０３が接続され、排気ダクト６０３内にはファン６０５が配置される。排気ダクト６０３の下流端にある排気口６０３ａにはフィルタ６０４が設けられている。排気ダクト６０３は上流側から下流側に向かって広がっている。そのためファン６０５の回転により吸引された空気の速度は下流側に向かって遅くなり、フィルタ６０４をゆっくり通過することになる。従って、フィルタ６０４による所望の脱臭効果が得られる。逆に、ファン６０５の上流側にフィルタ６０４を設けると、空気の速度を遅くし難いため好ましくない。
【００４９】
合流部６０７の下流側にファン６０５を配置し、ファン６０５が後処理装置７００と複写機５００の両方の排紙空間を吸引できるようにしたため、部品点数を少なくすることができる。
また、前述したように実施形態１で中継ダクト６０２を中継ダクト６０２ａ，６０２ｂに分割して設ければ、本実施形態２の中継ダクト６０２と実施形態１の中継ダクト６０２ａが同一部品となる。これにより、操作者は後処理装置７００を複写機５００に付ける場合と付けない場合の両方で、該中継ダクトと排気ダクト６０３を共通使用できる。
【００５０】
吸引ダクト６０８の上流側にはフード６０９が接続される。フード６０９は、後処理装置７００に設置されると、後処理済みの記録紙Ｐを排出する後処理装置７００のスタックトレイ７０２の上部を、開口部６０９ａ以外は隙間なく覆う。よって、記録紙Ｐが異臭やＶＯＣを伴ってスタックトレイ７０２に排出されたときでも、フード６０９がこれらの臭気をスタックトレイ７０２に閉じ込めるので、吸引ダクト６０８から臭気を効率的に吸引できると共に、臭気を操作者に届きにくくすることができる。一方、開口部６０９ａが形成されているため、操作者は開口部６０９ａから記録紙Ｐを取り出すことができる。
【００５１】
図９は、合流部６０７の概略平面図である。
実施形態１，２において、吸引口６０１の開口部６０１ａの面積は、吸引ダクト６０８の４つの開口部６０８ａの総面積より小さく、第１流路６０７ａと第２流路６０７ｂの断面積Ｘ及びＹは略同じに形成されている。例えば、開口部６０１ａの面積と開口部６０８ａの総面積２：３である。また、合流部６０７内には第１流路６０７ａと第２流路６０７ｂの仕切り６０７ｅが、下流側の開口部近傍まで形成されている。ゆえに、吸引ダクト６０８の４つの開口部６０８ａからは空気を吸引し易いが、吸引口６０１の開口部６０１ａからは空気を吸引し難い。
【００５２】
そこで、吸引口６０１の開口部６０１ａから空気を吸引をより吸引し易くするために、第１流路６０７ａの下流端の断面積Ｙと第２流路６０７ｂの下流端の断面積Ｘの比を例えば３：２にすることが考えられる。しかし、後処理装置７００が複写機５００に装着されている場合、記録紙Ｐは、中継搬送装置８００の上面（排出スタック部３９）ではなく、しばしば後処理装置７００のスタックトレイ７０２に排出されると予想される。そのため、後処理装置７００を優先させて、吸引ダクト６０８の４つの開口部６０８ａから空気をより吸引し易くするために、断面積Ｙと断面積Ｘの比を例えば１：１にしてもよい。
【００５３】
図１０は、図７のモノクロ複写機の概略平面図である。
図３と同様に、中継ダクト６０２正面手前側には、排出スタック部３９のトレイ面が視認可能である。また、合流部６０７が略Ｖ字型に形成されていることから、長尺紙が中継搬送装置８００の上面に排出された場合、Ｖ字型部分から長尺紙を視認可能である。
【００５４】
ダクト６００によって、複写機内の排紙空間と後処理装置から空気を効果的に吸引できるようになる。具体的には、操作者側から排紙空間に向けた気流が形成されるので、排紙空間内の異臭やＶＯＣなどが外に流れ出にくくなる。したがって、装置正面で操作する操作者が不快に感じることが低減される。
【００５５】
図１１は、実施形態３としてのモノクロ複写機の概略斜視図である。
モノクロ複写機には、ダクト６００、中継搬送装置８００及び後処理装置７００が装着されている。ここで、ダクト６００の吸引口６０１は、操作部としての固定式の操作パネル２１０の左右幅内であって操作パネル２１０の下方に配置されている。これにより、操作者が誤って吸引口６０１に接触する虞がなくなる。
図２，３においても、吸引口６０１は、操作部としての固定式の操作パネル２１０の左右幅内であって操作パネル２１０の下方に配置されてもよい。
【００５６】
図１２は、実施形態４としてのモノクロ複写機の概略斜視図である。
モノクロ複写機には、ダクト６００、中継搬送装置８００及び後処理装置７００が装着されている。本実施形態４では、モノクロ複写機用の操作パネル２１０が上下方向に回動可能であり、図１２では操作パネル２１０は下方向に回動されていて地面と垂直な姿勢を有している。操作パネル２１０が上方向に回動されて地面と平行な姿勢を有したとき（図１７参照）に、操作パネル２１０が中継ダクト６０２と干渉しないように、中継ダクト６０２の上流側には切欠６０２ｄが形成されている。
【００５７】
また、吸引口６０１は、操作パネル２１０の左右幅内であって操作部としての操作パネル２１０の下方に配置されている。言い換えれば、吸引口６０１は、操作パネル２１０の背面側、あるいは画像読取装置２００と複写機５００の操作パネル２１０との間に配置されている。操作パネル２１０が地面と平行になるように回動したとき、吸引口６０１は操作パネル２１０のすぐ下に位置する。これにより、操作パネル２１０が操作者と吸引口６０１の間の仕切りとなり、操作者が誤って吸引口を塞ぐことを防止できる。
【００５８】
図１３は、実施形態５としてのモノクロ複写機の概略平面図である。
モノクロ複写機には、ダクト６００が装着されている。ダクト６００は吸引口６０１、中継ダクト６０２、排気ダクト６０３を有するが、図３に示すダクトと異なり、本実施形態５におけるダクト６００は画像読取装置２００（スキャナ）の筐体内部に設けられている。よって、図示のようにダクト６００の輪郭は画像読取装置２００の輪郭内に収まっており、装置の小型化が実現されるとともに、ダクトが筐体外側に突出していないため操作者が記録紙Ｐを取り出しやすくなる。吸引口６０１及び排気ダクト６０３の排気口を除く中継ダクト６０２と排気ダクト６０３の部分は、吸引口６０１と排気口の間に延びる案内路を構成する。
なお、上記のようにスキャナの筐体内部にダクト６００を装着する形態に限られない。例えば、光源５３、複数のミラー５４、結像用光学レンズ５５及びイメージセンサ５６等を収容する構造体２０１の外周面と、スキャナ筐体の内面とでダクトを構成してもよい。これにより、装置を小型化できコストダウンが可能である。
【００５９】
ダクト６００の吸引口６０１は、装置正面側で操作パネル２１０に隣り合って配置され、原稿を照射する光源５３の移動領域であるコンタクトガラス５７よりも手前に設けられている。吸引口６０１の開口部は下方に向いている。したがって、記録紙Ｐが、装置内部に設けられた消臭装置でも消臭されなかった異臭やＶＯＣを伴って排出スタック部３９に排出されたとき、開口部からこれらの臭気を含む空気を効果的に吸引することができる。ダクト６００は全長にわたって略同じ断面積を有する。フィルタ６０４やファン６０５は図３に示すダクトと同じ位置に設けられている。
【００６０】
ここで、光源５３は例えばキセノンランプやＬＥＤなどであるが、これらの例に限定されない。また、画像読取装置２００の光学系の走査方法としては、例えば特許文献２の図２，３に示すものや、特許文献３の図２，３に示すような光源、ミラー、光学レンズ、イメージセンサを一体的に走査する方法が適用可能である。
【００６１】
図１４は、実施形態６としてのモノクロ複写機の概略平面図である。
以下では主に図１３のモノクロ複写機と異なる部分を説明する。モノクロ複写機には、ダクト６００が装着されている。本実施形態におけるダクト６００は画像読取装置２００（スキャナ）の筐体内部に設けられている。ここで、画像読取装置内部の背面側に、画像読取装置２００の走査系の駆動部２０２と、駆動部２０２を空冷するための冷却ダクト２０４が配置されている。そして、画像読取装置２００の筐体内部に設けられたダクト６００と冷却ダクト２０４は装置背面側で合流している。この場合、排気口としては、フィルタ６０４よりも下流側において複写機５００に元々備えられている排気口を用いることができる。
【００６２】
図１４（ａ）の例では、ダクト６００と冷却ダクト２０４の合流部には湾曲した仕切り２０６が形成されている。仕切り２０６はダクト６００の側壁と平行に延びているが湾曲しているため、ダクト６００内の気流の障害にならず、また冷却ダクト２０４内の気流を排気口６０３ａに向かって湾曲部に沿って緩やかに案内する。よって、気流の圧力損失は生じず、効率的に両方のダクトから空気を吸引することができる。ファン６０５とフィルタ６０４は合流部及び排気口６０３ａの下流側に設けられており、１つのファンによって両方のダクトから空気を吸引し、フィルタ６０４を通過させることができる。排気口６０３ａは装置背面側に向いており、空気も装置背面側又は後方に排出される。しかし、空気は装置背面側に誘導された後、下方又は上方に排出されてもよい。
【００６３】
図１４（ｂ）の例では、ダクト６００と冷却ダクト２０４の合流部には湾曲した仕切り２０６が形成されている。仕切り２０６は冷却ダクト２０４の側壁と平行に延びているが湾曲しているため、冷却ダクト２０４内の気流の障害にならず、またダクト６００内の気流を排気口６０３ａに向かって湾曲部に沿って緩やかに案内する。よって、気流の圧力損失は生じず、効率的に両方のダクトから気流を吸引することができる。ファン６０５とフィルタ６０４は合流部及び排気口６０３ａの下流側に設けられており、１つのファンによって両方のダクトから空気を吸引し、フィルタ６０４を通過させることができる。排気口６０３ａは装置側面側に向いており、空気も装置側面側又は側方に排出される。しかし、空気は装置側面側に誘導された後、下方又は上方に排出されてもよい。
【００６４】
図１５は、実施形態７としてのモノクロ複写機の概略構成図である。
モノクロ複写機には、ダクト６００、中継搬送装置８００及び後処理装置７００が装着されているが、図１５ではダクト６００の図示は省略している。本実施形態では記録紙Ｐの定着後の反転路Ｒ５の構成が図６のモノクロ複写機と異なる。
記録紙Ｐの定着後の搬送について簡単に説明する。記録紙Ｐを後処理装置７００へ搬送する場合及び排出スタック部３９に排出する場合は、記録紙Ｐを中継搬送装置８００へ案内するように切替爪７１を切り替える。記録紙Ｐを排出スタック部３９に排出する場合、排出スタック部３９側に切替爪８０６が切り替えられ、記録紙Ｐは排紙ローラ８０８によって排紙口８０９から搬送される。記録紙Ｐを後処理装置７００へ搬送する場合、後処理装置７００側に切替爪８０６が切り替えられ、記録紙Ｐは搬送ローラ８０２，８０４によって搬送路８１０内を搬送される。一方、記録紙Ｐを反転して裏面に画像を形成する場合、切替爪７１を図１５のように切り替える。記録紙Ｐは排紙口７２から排出され、記録紙Ｐの後端が切替爪７３を通過すると、記録紙Ｐは停止する。そして、切替爪７３が切り替わり、排紙口７２の排紙ローラが逆回転することで、記録紙Ｐは反転路Ｒ５に向けて案内される。このように記録紙Ｐが搬送されることで、記録紙Ｐの表裏が反転して記録紙Ｐはレジストローラ対２１へ搬送される。
【００６５】
図１６は、図１５の点線部における装置正面側断面図であって、図１５のモノクロ複写機を左方向から見たときの中継搬送装置近傍の概略側面図である。
図１６において、右側が装置正面側であり、左側が装置背面側である。操作パネル２１０は回動軸２０３によって回動可能に支持されており、その操作面は上方を向いている。操作パネル２１０は水平状態から操作者側に僅かに傾斜している。上から順に、モノクロ複写機の排紙口７２、中継搬送装置８００の排紙口８０９、中継搬送装置８００の搬送路８１０が位置している。排紙口７２，８０９及び搬送路８１０の装置正面側端部は、画像読取装置２００の正面側端部よりも装置手前側に位置している。また、ダクト６００の吸引口６０１は画像読取装置２００の下端より下方に位置し、排紙口７２よりも上方に位置している。
【００６６】
図１７は、図１６を右方向から見たときの、排紙口７２付近の概略拡大正面図である。
図１６，１７に示すように、吸引口６０１が画像読取装置２００の下端より下方に位置している場合、排紙口７２から排出された記録紙Ｐが吸引口６０１に接触する虞がある。そこで図１７に示すように、吸引口６０１は点線で示す記録紙Ｐの搬送方向に沿う曲面を有するように形成した。これにより、仮に記録紙Ｐが吸引口６０１に接触しても、記録紙Ｐはその曲面に沿って搬送方向下流に案内されるので、記録紙Ｐの搬送に悪影響が生じない。
【００６７】
また図１７において、操作パネル２１０は回動軸２０３によって回動して略水平に位置しているが、図１２に示すように操作パネル２１０は略垂直に位置することもできる。操作パネル２１０が略水平に位置するとき、中継ダクト６０２の上流側には切欠６０２ｄが形成されているため、操作パネル２１０が中継ダクト６０２と干渉することはない。また、操作パネル２１０の左右幅内であって操作パネル２１０の下方に吸引口６０１が配置されている。また図１７の構成に代えて、中継ダクト６０２の上流側には切欠６０２ｄが形成され、操作パネル２１０は切欠６０２ｄ内に位置し、操作面を上方を向けた状態で回動不能に固定されていてもよい。
【００６８】
図１８は、ダクトの変形例を示す概略側面図である。
より詳細には、図１８は、図１６と同様の装置正面側の概略断面図であって、ダクト６００を備えたモノクロ複写機を左方向から見たときの画像読取装置２００の近傍の概略側面図である。モノクロ複写機には、少なくともダクト６００が装着されている。画像読取装置２００の上面と、吸引口６０１を備えた中継ダクト６０２の上面は略同じ高さに位置している。一方、吸引口６０１側における中継ダクト６０２の下面は画像読取装置２００の下端より下方へ位置している。ダクト６００の吸引口６０１は画像読取装置２００の下端より下方に位置している。また、吸引口６０１は中継ダクト６０２から装置正面側に斜め下方に突出し、開口部６０１ａは排出スタック部３９の奥側又は装置背面側に指向している。そして、吸引口６０１は、操作者が手を入れる装置正面側に曲面部６０１ｂを有する。これらの構成により、吸引口６０１から、排出スタック部３９内の臭気を含む空気をより効果的に吸引することができるとともに、操作者の手が開口部６０１ａの縁に接触する虞がなくなる。
【００６９】
図１９は、実施形態８としてのモノクロ複写機の概略構成図であり、図１５のモノクロ複写機にダクト６００とトレイ９００が装着されたものである。本実施形態では、排紙口７２から排出された記録紙Ｐはスイッチバックして反転路Ｒ５へ案内される場合と、排紙口７２からトレイ９００に排出される場合がある。トレイ９００は、排出スタック部３９とは別のトレイであるため、排出された記録紙Ｐの混在を防止できる。また、ＦＡＸ、モノクロ複写機の複写の機能毎に記録紙Ｐの排出先をトレイ９００又は排出スタック部３９に選択してもよい。
【００７０】
図２０は、図１９のモノクロ複写機に設けられたダクト６００の例を示す図であり、（ａ）は中継ダクト６０２の斜視図であり、（ｂ）は（ａ）を下から見たときの中継ダクトの斜視図である。（ｃ）は、ダクト６００が装着された図１９のモノクロ複写機を左方向から見たときの画像読取装置２００の近傍の概略側面図である。
本実施形態のダクトは、装置正面側に図１８と同様の曲面部６０１ｂを備え、さらに装置奥側に曲面部６０１ｃを備えている。曲面部６０１ｂは、トレイ９００上の記録材Ｐに向けて手を挿入する方向において上流側から下流側に向けて上から下方に湾曲している。曲面部６０１ｃは、トレイ９００上の記録材Ｐを装置内側から外側へ取り出す方向において上流側から下流側に向けて上から下方に湾曲している。
【００７１】
このような構成により、記録材Ｐを取り出すときに記録材Ｐ又は操作者の手がダクトの吸引口６０１に引っかかることを抑制できる。
また、図２０（ｃ）のようにトレイ９００の装置手前側端部位置の上方に曲面部６０１ｃがある場合には、曲面部が手の挿入時と記録材取り出し時にひっかかることを抑制することもできる。
【符号の説明】
【００７２】
３９  排出スタック部（排紙部）
５７  コンタクトガラス（原稿を照射する光源の移動領域）
２００  画像読取装置
５００  複写機（画像形成装置）
６００  ダクト
６０１  吸引口
６０１ａ  開口部
６０３ａ  排気口
６０２  中継ダクト（案内路）
６０３  排気ダクト（案内路）
６０７  合流部（案内路）
６０８  吸引ダクト（案内路）
６０４  フィルタ（脱臭手段）
６０５  ファン（吸気手段）
Ｐ  記録紙（記録媒体）
【先行技術文献】
【特許文献】
【００７３】
【特許文献１】特開２００７−１４７８３５号公報
【特許文献２】特開２０１０−２１７４１８号公報
【特許文献３】特開２０１０−１９１１８４号公報
【図１】
2016184147.tif 000003
【図２】
2016184147.tif 000004
【図３】
2016184147.tif 000005
【図４】
2016184147.tif 000006
【図５】
2016184147.tif 000007
【図６】
2016184147.tif 000008
【図７】
2016184147.tif 000009
【図８】
2016184147.tif 000010
【図９】
2016184147.tif 000011
【図１０】
2016184147.tif 000012
【図１１】
2016184147.tif 000013
【図１２】
2016184147.tif 000014
【図１３】
2016184147.tif 000015
【図１４】
2016184147.tif 000016
【図１５】
2016184147.tif 000017
【図１６】
2016184147.tif 000018
【図１７】
2016184147.tif 000019
【図１８】
2016184147.tif 000020
【図１９】
2016184147.tif 000021
【図２０】
2016184147.tif 000022